(57)【特許請求の範囲】
【請求項１】
ショートホールにおけるホールインワンを確認するホールインワン確認システムにおいて、
ティーエリア（Ｔ）でのプレイヤーの顔及びティーショットの動画像を撮像するためのショートとホールのヤード数に応じた焦点深度が得られる望遠レンズ又はズームレンズを備えたティーエリア用カメラ（１）と、グリーン（Ｇ）上のカップ（Ｃ）周辺のボールの動きを撮像するグリーン用カメラ（２）とが、グリーン（Ｇ）越しにティーエリア（Ｔ）が望める位置に立設された１本の支持柱（Ｐ）又は架台に設置されてなり、
かつ、前記ティーエリア用カメラ（１）及びグリーン用カメラ（２）の双方の画像信号を伝送する伝送手段と、伝送されてきた前記双方の画像信号を撮像時刻情報とともに記録し格納する記録媒体（８）と、伝送されてきた前記双方の画像信号を表示し、また、前記記録媒体（８）に格納された前記双方の画像信号を再生表示する表示手段（７）とを有する画像処理装置（５）を備えてなることを特徴とするホールインワン確認システム。
【請求項２】
前記ティーエリア用カメラ（１）及びグリーン用カメラ（２）の双方の画像信号を伝送する伝送手段が、前記双方の画像信号を信号多重装置（３）によって多重し、１系統の伝送路によって伝送可能にしてなるものであることを特徴とする請求項１に記載のホールインワン確認システム。
【請求項３】
前記グリーン（Ｇ）越しにティーエリア（Ｔ）が望める位置に立設された支持柱（Ｐ）又は架台が、グリーン（Ｇ）の全貌を俯瞰できる高さにグリーン用カメラ（２）を配置できるものであることを特徴とする請求項１又は２に記載のホールインワン確認システム。
【請求項４】
前記グリーン用カメラ（２）が、カップ（Ｃ）にボールが落下した時に発する音を収録可能なマイクロホンを備え、また、ティーエリア（Ｔ）の近傍にティーショット時の打撃音を収録するマイクロホンを配設してなることを特徴とする請求項１〜３のいずれか１項に記載のホールインワン確認システム。
【請求項５】
前記ティーエリア用カメラ（１）及びグリーン用カメラ（２）のパン、チルト、ズーム、フォーカス、感度等のカメラ機能の制御が、クラブハウスからの遠隔操作によって可能にしてなることを特徴とする請求項１〜４のいずれか１項に記載のホールインワン確認システム。
【請求項６】
前記表示手段（７）が、前記ティーエリア用カメラ（１）が撮像したプレイヤーのティーショットの動画像とグリーン用カメラ（２）が撮像したカップ（Ｃ）周辺のボールの動きとを撮像時刻情報とともに１画面に並べて表示可能にしてなることを特徴とする請求項１〜５のいずれか１項に記載のホールインワン確認システム。
【請求項７】
前記グリーン用カメラ（２）が、グリーン（Ｇ）上に穿設されたカップ（Ｃ）周辺の所定範囲を撮像するよう設定され、かつ該グリーン用カメラ（２）が撮像した画像信号からボールの静止位置とカップ（Ｃ）間の距離を算出する演算手段（１０）を備えて、ニアピンをも認定可能にしてなることを特徴とする請求項１〜６のいずれか１項に記載のホールインワン確認システム。
【発明の詳細な説明】
【技術分野】
【０００１】
本発明は、ノンキャディーのゴルフ場におけるホールインワンを客観的に確認できるホールインワン確認システムに関する。
【背景技術】
【０００２】
従来からノンキャディーのゴルフ場における不正なプレイによるホールインワンを排除するためにホールインワンの認定を客観的に行おうとする発明がいくつかなされている。
例えば、特開２００３−１１１８８２号公報では、「ティーグランドのカメラで撮影されたティーグラウンド映像と、グリーン上のカメラのグリーン上映像を４分割合成して時刻を入力した映像をクラブハウスの運営管理装置に送って表示、記憶させて、ホールインワンの確認を行わせる。そして保険会社にこれらの映像と関連情報を送信すると共に、ＩＤコードをプレイヤー端末装置に対して発行し、プレイヤーがＩＤ番号を使用して提携オンラインマーケットから好きな商品を注文する。これによって、認定からホールインワン保険適用審査、商品注文、商品配送までをネットワークを利用してトータルに行う。」というホールインワン認定システムが開示されている。
また、特開２００４−４６６４８号公報には、「ティーグランド及びグリーンを撮影可能な第１及び第２監視カメラと、第１及び第２監視カメラで撮像した映像を記録する録画手段と、ティーグランドにゴルファーが進入したことを検知する検知手段と、検知手段の検知結果に基づいて第１及び第２監視カメラ及び録画手段を作動させる制御手段とを備え、ホールインワンの達成場面を撮影した映像でもって当該ホールインワンを認証するようにした。」ホールインワン認証システムが開示されている。
【特許文献１】特開２００３−１１１８８２号公報
【特許文献２】特開２００４−４６６４８号公報
【発明の開示】
【発明が解決しようとする課題】
【０００３】
従来のホールインワン認証システムは、配設するカメラの数に差異はあるものの、いずれも上記背景技術に例示したように、ティーグランド上のプレイヤーの動画像と、グリーン上のゴルフボールの動きを撮像してホールインワンを客観的に確認して認証するというものであり、そのためにボールのカップインの瞬間と、ホールインワンを達成したプレイヤーの容貌、容姿、服装等を確実、かつ的確に撮像し記録しておかねばならず、したがって、各プレイヤーのティーショットを撮像して記録するティーエリア用カメラはティーエリア近傍に、グリーン上のボールの動きを撮像するグリーン用カメラはグリーン近傍に設置されることが当然のように採用されてきている。前記特許文献１ではその「特許請求の範囲」の「請求項１」に、また特許文献２でも「発明の実施の形態」の中の段落番号「００１２」に、その旨の記述がなされている。
このようにティーエリア用カメラ（特許文献２では第１監視カメラ）がティーエリア近傍に、グリーン用カメラ（特許文献２では第２監視カメラ）がグリーン近傍にと異なる位置に配置されると、各カメラを設置するための機材や装置を２箇所分用意しなくてはならず、また、カメラからの動画像をクラブハウスに伝送し、カメラのパン、チルト、ズームなどの機能をクラブハウスから遠隔制御するためのケーブルや、カメラを駆動するための電力を供給する電力線をそれぞれクラブハウスとティーエリア間、クラブハウスとグリーン間の２系統備えねばならず、システム構築の際に要する経費をはじめとし保守・運営・管理のための手間と費用が嵩むという問題がある。
本発明は上記問題を、最近のカメラにおけるデジタル画像処理による高画質化と、デジタル信号の多重伝送技術の進歩とをよりどころに、望遠レンズを備えたティーエリア用カメラとグリーン用カメラとをグリーン近傍で、かつティーエリアが望める位置に隣接して配置することによって、ティーエリア用カメラとグリーン用カメラの画像信号を伝送し、カメラを遠隔制御するケーブルや、カメラを駆動する電力線をクラブハウスとグリーン間にのみ設置すればよくなり、さらに好ましくは、ティーエリア用カメラとグリーン用カメラ双方の画像信号を多重化して１系統の伝送路で伝送することをも可能にして、システム構築時の経費節減と、設備の保守・運営・管理が容易なホールインワン確認システムを提供するものである。
【課題を解決するための手段】
【０００４】
本発明者は、上記課題を下記の手段により解決した。
（１）ショートホールにおけるホールインワンを確認するホールインワン確認システムにおいて、
ティーエリアでのプレイヤーのティーショットの動画像を撮像するためのショートホールのヤード数に応じた焦点深度が得られる望遠レンズ又はズームレンズを備えたティーエリア用カメラと、グリーン上のカップ周辺のボールの動きを撮像するグリーン用カメラとが、グリーン越しにティーエリアが望める位置に立設された１本の支持柱又は架台に設置されてなり、
かつ、前記ティーエリア用カメラ及びグリーン用カメラの双方の画像信号を伝送する伝送手段と、伝送されてきた前記双方の画像信号を撮像時刻情報とともに記録し格納する記録媒体と、伝送されてきた前記双方の画像信号を表示し、また、前記記録媒体に格納された前記双方の画像信号を再生表示する表示手段とを有する画像処理装置を備えてなることを特徴とするホールインワン確認システム。
【０００５】
（２）前記ティーエリア用カメラ及びグリーン用カメラの双方の画像信号を伝送する伝送手段が、前記双方の画像信号を信号多重装置によって多重し、１系統の伝送路によって伝送可能にしてなるものであることを特徴とする前項（１）に記載のホールインワン確認システム。
【０００６】
（３）前記グリーン（Ｇ）越しにティーエリア（Ｔ）が望める位置に立設された支持柱（Ｐ）又は架台が、グリーン（Ｇ）の全貌を俯瞰できる高さにグリーン用カメラ（２）を配置できるものであることを特徴とする請求項１又は２に記載のホールインワン確認システム。
【０００７】
（４）前記グリーン用カメラが、カップにボールが落下した時に発する音を収録可能なマイクロホンを備え、また、ティーエリアの近傍にティーショット時の打撃音を収録するマイクロホンを配設してなることを特徴とする前項（１）〜（３）のいずれか１項に記載のホールインワン確認システム。
【０００８】
（５）前記ティーエリア用カメラ及びグリーン用カメラのパン、チルト、ズーム、フォーカス、感度等のカメラ機能の制御が、クラブハウスからの遠隔操作によって可能にしてなることを特徴とする前項（１）〜（４）のいずれか１項に記載のホールインワン確認システム。
【０００９】
（６）前記表示手段が、前記ティーエリア用カメラが撮像したプレイヤーのティーショットの動画像とグリーン用カメラが撮像したカップ周辺のボールの動きとを撮像時刻情報とともに１画面に並べて表示可能にしてなることを特徴とする前項（１）〜（５）のいずれか１項に記載のホールインワン確認システム。
【００１０】
（７）前記グリーン用カメラが、グリーン上に穿設されたカップ周辺の所定範囲を撮像するよう設定され、かつ該グリーン用カメラが撮像した画像信号からボールの静止位置とカップ間の距離を算出する演算手段を備えて、ニアピンをも認定可能にしてなることを特徴とする前項（１）〜（６）のいずれか１項に記載のホールインワン確認システム。
【発明の効果】
【００１１】
本発明のホールインワン確認システムによって、下記の効果が発揮される。
〈１〉請求項１記載の発明によれば、
ティーエリアでのプレイヤーの顔及びティーショットの動画像を撮像するためのショートホールのヤード数に応じた焦点深度が得られる望遠レンズ又はズームレンズを備えたティーエリア用カメラが、グリーン越しにティーエリアを望める位置に立設された１本の支持柱又は架台に設置されているので、ティーショットを終えたプレイヤーがボールの軌跡を追ってグリーン方向に向けた顔を正面から撮像でき、ホールインワンを達成したプレイヤーが確実容易に特定できる。
また、前記ティーエリア用カメラ及びグリーン用カメラから出力され、伝送されてきた双方の画像信号を撮像時刻情報とともに記録し格納する記録媒体と、伝送されてきた双方の画像信号を表示し、また前記記録媒体に格納された前記双方の画像信号を再生表示する表示手段を有する画像処理装置を備えているので、前記表示手段に表示されたグリーン用カメラの画像から、ボールがホールインする瞬間と当該ボールをショットしたプレイヤーとが確認でき、ホールインワンが達成されたことが客観的に即座に確認でき、かつ何度となく再生表示も可能であり、さらに再生画像をＤＶＤ等に複写すれば、ホールインワンを達成したプレイヤーの記念品としての利用も可能になる。
さらに、ティーエリア用カメラとグリーン用カメラとが１本の支持柱又は架台に配置されているので、両カメラを駆動する電力線をクラブハウスとグリーン間に敷設すればよく、設備構築にかかる経費の節減が図れ、保守管理も容易となる。
【００１２】
〈２〉請求項２に記載の発明によれば、
前記ティーエリア用カメラ及びグリーン用カメラの双方の画像信号を伝送する伝送手段が、前記双方の画像信号を信号多重装置によって多重し、１系統の伝送路によって伝送可能にしてなるので、前記〈１〉の効果に加えて設備構築にかかる経費がより一層節減でき、保守管理もさらに容易になる。
【００１４】
〈３〉請求項３に記載の発明によれば、
前記グリーン越しにティーエリアが望める位置に立設された支持柱又は架台が、グリーンの全貌を俯瞰できる高さにグリーン用カメラを配置できるものであるので、グリーン上のいかなる場所のどこにカップが穿設されても、グリーン用カメラによってカップインが的確に捉えられるとともに、プレイヤーのティーショットからボールがグリーンに落下するまでの経過が、プレイヤーのスイングやその後の動きを表示画面の画像から推定でき、他のコースからのミスショットによってカップインした場合との区別が容易に行え、ホールインワンを確実に認定できる。
【００１５】
〈４〉請求項４に記載の発明によれば、
前記グリーン用カメラが、カップにボールが落下した時に発する音を収録可能なマイクロホンを備え、また、ティーエリアの近傍にティーショット時の打撃音を収録するマイクロホンを配設しているので、ティーショットの画像に打撃音が、カップインの瞬間の画像にボールの落下音が重なって記録され、ホールインワンの信憑性をより高めるとともに、記録画像を再生した場合その瞬間が音を伴ってりリアルに表示され、ホールインワン達成プレイやーの喜びを倍加させるのに役立つ。
【００１６】
〈５〉請求項５に記載の発明によれば、
前記ティーエリア用カメラ及びグリーン用カメラのパン、チルト、ズーム、感度、フォーカス等のカメラ機能の制御が、クラブハウスからの遠隔操作によって行えるので、グリーン上のカップの位置を変更した場合にも、競技開始前にグリーン用カメラのパン、チルト、ズーム、フォーカス等をクラブハウスの表示装置の画面を見ながら操作して制御すれば、グリーン用カメラの撮像範囲を新しいカップ位置の周辺に容易に変更できる。
なお、この制御信号は、ティーエリア用カメラとグリーン用カメラが撮像した動画像を伝送するケーブルを使用してカメラに伝えればよく、制御信号を伝送するための信号線を新たに準備する必要はない。
【００１７】
〈６〉請求項６に記載の発明によれば、
前記表示手段が、前記ティーエリア用カメラが撮像したプレイヤーのティーショットの動画像とグリーン用カメラが撮像したカップ周辺のボールの動きとを撮像時刻情報とともに１画面に並べて表示できるので、前記〈５〉に記載した効果がより容易、確実に実現できる。
【００１８】
〈７〉請求項７に記載の発明によれば、
前記グリーン用カメラが、グリーン上に穿設されたカップ周辺の所定範囲を撮像するよう設定され、かつ該グリーン用カメラが撮像した画像信号からボールの静止位置とカップ間の距離を算出する演算手段を備えているので、ホールインワンの確認ばかりでなくニアピンも人手による計測を行うことなく認定可能になる。
【発明を実施するための最良の形態】
【００１９】
本発明のホールインワン確認システムを実施するための最良の形態を、実施例の図に基づいて説明する。
図１は本発明のホールインワン確認システムの一実施例の概略構成図、図２はティーエリア用カメラとグリーン用カメラとを１本の支持柱に設置したホールインワン確認システムの構成図、図３はグリーン用カメラの画像信号からニアピンをも認定可能にしたホールインワン確認システムの構成図である。
図において１はティーエリア用カメラ、２はグリーン用カメラ、３は信号多重装置、４は伝送路、５は画像処理装置、６はタイマー、７は表示手段（画像モニタ）、８は記録媒体（記録再生装置）、１０は演算手段、１１は入力端末、１２はプリンタ、Ｃはカップ、Ｇはグリーン、Ｐは支持柱、Ｔはティーエリアを示す。
【００２０】
本発明のホールインワン確認システムは、図２の概略構成図に示すように、
ティーエリアＴでのプレイヤーのティーショットの動画像を撮像するためのショートホールのヤード数に応じた焦点深度が得られる望遠レンズ又はズームレンズを備えたティーエリア用カメラ１と、グリーンＧ上のカップＣ周辺のボールの動きを撮像するグリーン用カメラ２とが、グリーンＧグリーン越しにティーエリアＴを望める位置に立設された１本の支持柱Ｐ又は架台に設置され、
かつ、前記ティーエリア用カメラ１及びグリーン用カメラ２双方から出力された画像信号を伝送する１系統のケーブル４と、
前記双方の画像信号を１系統のケーブル４で伝送するために多重化する信号多重装置３と、
ケーブル４に多重化されて伝送されてきた前記双方の画像信号を、元のティーエリア用カメラ１及びグリーン用カメラ２からの出力画像信号に復元して、タイマー６からの撮像時刻情報とともに記録し格納する記録媒体（以下記録再生装置と記す）８と、
前記復元された双方の画像信号を表示し、また、前記記録媒体に格納された前記双方の画像信号を再生表示する表示手段（以下画像モニターと記す）７とを備えた画像処理装置５とから構成されている。
そして、ティーエリア用カメラ１とグリーン用カメラ２を１本の支持柱Ｐ又は１つの架台に配設しているので、カメラ設置機材の削減につながり、また伝送路及び電力線の１系統化をよりしやすくしている。
【００２１】
本発明のホールインワン確認システムのティーエリア用カメラ１は、ホールインワンを達成したプレイヤーを特定するためのものであるから、グリーンＧの近傍からティーエリアＴのプレイヤーの容貌、容姿、服装など、プレイヤー個人を特定できる画像が得られなければならない。したがって、当該ホールのヤード数に応じた焦点深度の得られる望遠レンズ又はズームレンズを備えていなければならない。そして、前記ティーエリア用カメラ１が、グリーン越えでティーエリアを望める位置に設置されることが、他のホールから打ち込まれたミスショットのボ−ルと正規のボールとを見分けるのに役立つので好ましい。
また、本発明ではティーエリア用カメラに望遠レンズを装着するので、風や振動によって揺れると、プレイヤーの特定が困難になる恐れがあり、設置に当たっては風や振動への対応に配慮する必要がある。
【００２２】
グリーン用カメラ２は、グリーンＧ上に穿設されたカップＣを中心にして該カップＣ周辺の所定範囲を撮像する必要からカップＣが穿設される位置に合わせて、カメラの視野を変化する必要があり、カメラのパン、チルト、フォーカス等をこまめに制御する必要がある。したがって、グリーン用カメラ２は遠隔制御可能な雲台を備え、その制御をクラブハウスからの制御信号による遠隔制御で行えるよう構成しておくことが好ましい。なお、グリーン用カメラの制御信号は、前記伝送路４を介して送られるよう構成されるのが、資源の節約ばかりでなく経費削減にも寄与するので好ましい。
【００２３】
ティーエリア用カメラ１が撮像したプレイヤーのティーショットの動画像、及びグリーン用カメラ２が撮像したカップインした瞬間の画像を含むグリーンＧ上のボールの動きの画像は、それぞれのカメラにおいて帯域圧縮など当該システムで必要とされる画像処理が行われた後、信号多重装置３に入力され、従来から知られている信号多重装置、多重方法によって多重化され、１系統の伝送路４によって画像処理装置５に伝送される。この伝送路としては、同軸ケーブル、光ファイバーケーブル、無線通信回線等、画像伝送、データ伝送に使用されるもののいずれであってもよいが、雷害を考慮すれば光ファイバーケーブルの使用が好ましい。なお 、前記信号多重装置は使用伝送路に適合するものが選択される。
【００２４】
画像処理装置４では多重化されて送られてきた双方の画像信号を元のティーエリア用カメラの撮像画像とグリーン用カメラの撮像画像とに分離して画像モニター７に表示するとともに、記録・再生装置８に記録し、格納する。この際タイマー６から時刻情報を画面に合成表示して撮像時刻を明確にしておくことが、後刻ホールインワン認定証の発行やホールインワン達成プレイヤーの記念アルバム作製などの際に役立つので好ましい。
なお、画像モニター７に多画面表示のできる画像モニターを使用すれば、ティーエリア用カメラ１が撮像したプレイヤーのティーショットの動画像とグリーン用カメラ２が撮像したカップインの画像とを並べて表示できるので、ホールインワン達成プレイヤーの確認が即座にできるので好ましい。
さらに、前記グリーン用カメラが、ボールがカップに落下した時に発する音を収録するマイクロホンを備え、また、ティーエリアの近傍にティーショット時の打撃音を収録するマイクロホンを配設することによって、ティーショットの画像に打撃音が、カップインの瞬間の画像にボールの落下音を重ねて記録でき、ホールインワンの信憑性をより高めるとともに、記録画像を再生した場合、その瞬間が音を伴ってリアルに表示されるので、再生画像見るホールインワン達成プレイヤーや関係者の喜びを倍加させるのに役立つ。
【００２５】
図３は、グリーン用カメラ２の画像信号からニアピンをも認定可能にしたホールインワン確認システムの構成図である。このシステムは、前記グリーン用カメラ２がその撮像領域内に入ってきたカップＣ近傍のゴルフボールの動きを撮像し、カップインしたものをホールインワンと確認するとともに、ボールの静止位置とカップＣ間の距離を算出してニアピンと認定しようとするもので、そのための演算手段９と、演算手段によってボールの静止位置とカップＣ間の距離算出を可能にするグリーン用カメラ２とカップＣ間の距離。グリーン用カメラの俯角と撮像領域端とカップ間の距離等の各種条件を入力する入力端末１０、そして計算結果を出力するプリンタ１１とで構成される。
このシステムで、ニアピンをより正確に確認するためには、グリーン用カメラの俯角を大きくとって撮像領域をより円形に近付けることが望ましい。
【図面の簡単な説明】
【００２６】
【図１】本発明のホールインワン確認システムの一実施例の概略構成図
【図２】ティーエリア用カメラとグリーン用カメラとを１本の支持柱に設置したホールインワン確認システムの構成図
【図３】グリーン用カメラの画像信号からニアピンをも認定可能にしたホールインワン確認システムの構成図
【符号の説明】
【００２７】
１：ティーエリア用カメラ
２：グリーン用カメラ
３：信号多重装置
４：ケーブル
５：画像処理装置
６：タイマー
７：表示手段（画像モニタ）
８：記録媒体（記録再生装置）
１０：演算手段
１１：入力端末
１２：プリンタ
Ｃ：カップ
Ｇ：グリーン
Ｐ：支持柱
Ｔ：ティーエリア
【図１】
0005099501.tif 000002
【図２】
0005099501.tif 000003
【図３】
0005099501.tif 000004